(57)【要約】【課題】電磁駆動型の光偏向装置の可動部の傾き角を検出する磁気センサの検出信号から、駆動用の電磁石に由来するノイズを除去する。【解決手段】光偏向装置は、可撓梁によって基板に揺動可能に支持されている可動部と、可動部に固定されているミラーと永久磁石を備えている。可動部の揺動軸に沿う方向を第１方向とし、それに直交する方向を第２、第３方向としたときに、第２方向において永久磁石を挟んで対向している第１磁極と第２磁極とを有している電磁石と、磁気センサを備えている。とともに、第３方向の磁束密度成分を検出する磁気センサは、電磁石に通電したときに発生する磁束の第３方向成分がゼロとなる位置におかれている。【選択図】  図３
2011197233.tif 000002
【特許請求の範囲】
【請求項１】
可撓梁によって基板に対して揺動可能に支持されている可動部と、
前記可動部に固定されているミラーと、
前記可動部に固定されている永久磁石と、
前記可動部の揺動軸に沿う方向を第１方向としたときに、第１方向に直交する第２方向において前記永久磁石を挟んで対向している第１磁極と第２磁極を有している電磁石と、
前記第１方向と前記第２方向に直交する方向を第３方向としたときに、前記電磁石に通電したときに発生する磁束の第３方向成分がゼロとなる位置の前記基板に固定されているとともに、第３方向の磁束密度成分を検出する磁気センサと、
を備えている光偏向装置。
【請求項２】
前記磁気センサが前記第１磁極と前記第２磁極とのギャップの前記第３方向の中央位置に固定されており、前記永久磁石が前記中央位置からオフセットされた位置に配置されている、請求項１に記載の光偏向装置。
【請求項３】
前記磁気センサが前記第１磁極と前記第２磁極とのギャップの前記第２方向の中央位置に固定されており、前記永久磁石が前記中央位置からオフセットされた位置に配置されている、請求項１または２に記載の光偏向装置。
【請求項４】
１つの電磁石に対して１つの磁気センサが設置されている、請求項１〜３のいずれか一項に記載の光偏向装置。
【請求項５】
１つの電磁石に対して複数の磁気センサが設置されている、請求項１〜３のいずれか一項に記載の光偏向装置。
【請求項６】
可撓梁によって基板に対して揺動可能に支持されている可動部と、
前記可動部に固定されているミラーと、
前記可動部に固定されている永久磁石と、
前記可動部の揺動軸に沿う方向を第１方向としたときに、第１方向に直交する第２方向において前記永久磁石を挟んで対向している第１磁極と第２磁極を有している電磁石と、
前記基板に対して固定されているとともに、第３方向の磁束密度成分を検出する複数の磁気センサと、を備えており、
前記第１方向と前記第２方向に直交する方向を第３方向としたときに、前記複数の磁気センサに存在位置における、前記電磁石に通電したときに発生する磁束の第３方向成分の総和がゼロである、光偏向装置。
【請求項７】
１つの電磁石に対して２つの磁気センサが設置されており、
前記２つの磁気センサが、前記第１磁極と前記第２磁極とのギャップの前記第２方向の中央位置に関して対称となる位置に設置されている、請求項６に記載の光偏向装置。
【請求項８】
１つの揺動軸に対して複数の電磁石が設置されており、
１つの電磁石に対して少なくとも１つの永久磁石と少なくとも１つの磁気センサが設置されている、請求項１〜７のいずれか一項に記載の光偏向装置。
【請求項９】
前記基板は、前記可撓梁と前記可動部と一体に形成されている部分を含んでおり、
前記磁気センサが前記基板の前記部分に設置されている、請求項１〜８のいずれか一項に記載の光偏向装置。
【発明の詳細な説明】
【技術分野】
【０００１】
本発明は、電磁力によってミラーを揺動させることによって光ビームの反射方向を変化させる光偏向装置に関する。
【背景技術】
【０００２】
この種の光偏向装置は、基板と可撓梁と可動部を備えており、可動部が可撓梁によって基板に対して揺動可能に支持されている。可動部にはミラーが固定されており、可動部を基板に対して揺動させることによって、ミラーを所定の角度に傾けることができる。この種の光偏向装置には、基板に対する可動部の傾き角を検出するための傾き角検出センサを組み込んだものがある。
【０００３】
特許文献１に、電磁力を利用する光偏向装置が開示されている。この光偏向装置では、基板上に一対の永久磁石を設置し、可動板に電磁石を設置している。電磁石に通電すると、永久磁石と電磁石の間に電磁力が作用し、可動板を揺動させることができる。この光偏向装置では、可動板にホール素子が設置されている。ホール素子は、一対の永久磁石の間に発生している磁束の可動板の厚み方向の成分を検出する。厚み方向の磁束密度成分は、可動板の傾き角によって変化する。ホール素子の出力電圧から可動板ないしミラーの傾き角を検出することができる。
特許文献１には電磁石に通電することで発生する磁束がホール素子の出力電圧に影響を及ぼすことを排除するために、電磁石を構成するコイル線の直上にホール素子を設置する技術を開示している。また、複数のホール素子を設置し、複数のホール素子の出力電圧の差分を得ることによって、光偏向装置の外部から作用する磁束の影響を相殺する技術が開示されている。
【先行技術文献】
【特許文献】
【０００４】
【特許文献１】特開２０００−８１５８９号公報
【発明の概要】
【発明が解決しようとする課題】
【０００５】
可動部に電磁石と磁気センサを配置すると、電磁石と磁気センサに接続する配線を可撓梁に沿って配設する必要が生じる。可撓梁は繰り返し変形する部材であり、従って、配線も繰り返しねじられる。可動部に電磁石と磁気センサを配置すると、配線が断線しやすくなり、光偏向装置の信頼性が低下する。
したがって、電磁石と磁気センサを基板側に配置し、永久磁石を可動部側に配置することが好ましい。永久磁石に対する配線は不要であり、可撓梁に沿って配線する必要をなくすことができる。
磁気センサを基板側に配置する場合、その磁気センサで可動部の傾き角を検出するためには、いくつかの方式が考えられる。一つの方式は、電磁石に対する通電量が大きいほど可動部の傾き角が大きくなる現象を利用し、電磁石が発生する磁束の大きさを磁気センサで検出することであろう。他の一つの方式は、可動部の傾き角に依存して磁気センサと永久磁石の位置関係が変わることを利用し、永久磁石が発生する磁束の大きさを磁気センサで検出することであろう。しかしながら、実際にはいずれの方式も、実現困難である。すなわち、可動部が傾いている状態では電磁石に通電しており、電磁石が発生する磁束と永久磁石が発生する磁束が相互に影響し合っている。電磁石が発生する磁束の大きさと、永久磁石が発生する磁束の大きさを分離して検出することが難しい。
【０００６】
特許文献１が開示するように、電磁石を構成するコイル線の直上に磁気センサを配置する等の工夫を導入することによって、磁気センサが電磁石による磁束を検出しないようすることは可能であろう。しかしながら、この方式によると、磁気センサの永久磁石による磁束の検出感度まで低下してしまう。それでは、可動部の傾き角に依存して磁気センサと永久磁石の位置関係が変わることを利用して傾き角を検出する感度が低下してしまう。
本発明は、下記の要求を満たすべく創作された。
１）電磁石と磁気センサを基板側に配置し、永久磁石を可動部側に配置することによって可撓梁に沿って配線する必要をなくし、
２）磁気センサの電磁石による磁束の検出感度を低くし、
３）磁気センサの永久磁石による磁束の検出感度を高くする。
【課題を解決するための手段】
【０００７】
本出願で開示する第１の光偏向装置は、可撓梁によって基板に対して揺動可能に支持されている可動部と、可動部に固定されているミラーと、可動部に固定されている永久磁石と、電磁石と、磁気センサを備えている。
可動部の揺動軸に沿う方向を第１方向とし、第１方向に直交する第２方向としたときに、電磁石は、第２方向において永久磁石を挟んで対向している第１磁極と第２磁極を有している。第１方向と前記第２方向に直交する方向を第３方向としたときに、磁気センサは、電磁石に通電したときに発生する磁束の第３方向成分がゼロとなる位置において基板に固定されているとともに、第３方向の磁束密度成分を検出する。
【０００８】
上記の光偏向装置では、可動部が揺動すると、基板から可動部までの第３方向に沿った距離が変化する。磁気センサが磁束の第３方向成分を検出するものであるため、磁気センサの出力電圧は可動部の傾き角に依存して変化する。磁気センサの出力電圧から傾き角を検出することが可能である。
第１磁極と第２磁極とのギャップにおける電磁石に起因する磁束の密度と方向は場所によって変化する。実際に、電磁石に起因する磁束の第３方向成分がゼロである位置が存在する。
本発明では、この位置を選んで磁気センサを配置することから、電磁石から発生する磁束が検出結果に影響することを防止できる。磁気センサの出力電圧と傾き角の関係を安定させることができ、磁気センサの検出精度を向上させることができる。
【０００９】
上記の光偏向装置では、電磁石の第１磁極と第２磁極とのギャップの第３方向の中央位置に磁気センサが固定されており、その中央位置からオフセットされた位置に永久磁石が配置されている構造とすることができる。
前記ギャップの第３方向の中央位置では、電磁石に起因する磁束の第３方向成分がゼロである。
【００１０】
あるいは、電磁石の第１磁極と第２磁極とのギャップの第２方向の中央位置に磁気センサが固定されており、その中央位置からオフセットされた位置に永久磁石が配置されている構造とすることができる。
前記ギャップの第２方向の中央位置でも、電磁石に起因する磁束の第３方向成分がゼロとなる。
【００１１】
１つの電磁石に対して配置する磁気センサの個数は特に制限されず、１個の磁気センサを配置してもよいし、複数の磁気センサを配置してもよい。
【００１２】
本願で開示する第２の光偏向装置も、可撓梁によって基板に対して揺動可能に支持されている可動部と、可動部に固定されているミラーと、可動部に固定されている永久磁石と、電磁石と、複数の磁気センサを備えている。可動部の揺動軸に沿う方向を第１方向とし、第１方向に直交する第２方向としたときに、電磁石は、第２方向において永久磁石を挟んで対向している第１磁極と第２磁極を有している。第１方向と前記第２方向に直交する方向を第３方向としたときに、複数の磁気センサは、電磁石に通電したときに発生する磁束の複数の磁気センサの存在位置における第３方向成分の総和がゼロとなる位置に配置されている。
【００１３】
上記の光偏向装置では、個々の磁気センサが検出する電磁石に起因する第３方向の磁束成分はゼロではないが、それらの総和を算出すると、ゼロである。このため、複数の磁気センサの検出信号の総和を算出することによって、電磁石が発生する磁束に由来して検出結果がずれてしまう現象の発生を防止することができる。すなわち、磁気センサの検出精度を向上させることが可能である。
【００１４】
２つの磁気センサを用いる場合、その２つの磁気センサを、第１磁極と第２磁極とのギャップの第２方向の中央位置に対して対称となる位置に設置することができる。２つの磁気センサの存在位置における、電磁石に通電したときに発生する磁束の第３方向成分の総和がゼロとなる。
【００１５】
第１と第２の光偏向装置では、１つの揺動軸に対して複数の電磁石が設置されていてもよい。この場合、１つの電磁石に対して少なくとも１つの永久磁石と少なくとも１つの磁気センサが設置されていればよい。
【００１６】
基板は、可撓梁と可動部と一体に形成されている部分を含んでいてもよい。この場合、磁気センサが基板の前記部分に設置されていてもよい。
【発明の効果】
【００１７】
本発明によれば、可動部に永久磁石を配置することで可撓梁に配線する必要をなくすことができ、電磁石に起因する磁束の第３方向成分がゼロである位置に磁気センサを配置することから電磁石に対する通電によって検出結果がずれることがなく、可動部の傾き角を精度よく検出することが可能となる。長期にわたって信頼性が高く、傾き角の検出精度がよい光偏向装置を提供することができる。
【図面の簡単な説明】
【００１８】
【図１】実施例１の光偏向装置の斜視図である。
【図２】図１の光偏向装置のミラー部の上面と電磁石の磁極部近傍を示す図である。
【図３】図２のＩＩＩ−ＩＩＩ線断面図である。
【図４】図２のＩＶ−ＩＶ線断面図である。
【図５】実施例１の磁気センサについて説明する図である。
【図６】実施例１の永久磁石と磁気センサの位置関係を示す図である。
【図７】実施例１の永久磁石と磁気センサの位置関係を示す図である。
【図８】変形例の永久磁石と磁気センサの位置関係を示す図である。
【図９】実施例２の光偏向装置のミラー部の上面と電磁石の磁極部近傍を示す図である。
【図１０】図９のＸ−Ｘ線断面図である。
【図１１】図９のＸＩ−ＸＩ線断面図である。
【図１２】実施例３の光偏向装置の断面図であって、電磁石の磁極部近傍を示している。
【図１３】実施例３の光偏向装置の断面図であって、電磁石の磁極部近傍を示している。
【図１４】実施例４の光偏向装置のミラー部の上面と電磁石の磁極部近傍を示す図である。
【図１５】図１４のＸＶ−ＸＶ線断面図である。
【図１６】図１４のＸＶＩ−ＸＶＩ線断面図である。
【図１７】永久磁石が発生させる磁束について説明する図である。
【図１８】永久磁石が発生させる磁束について説明する図である。
【発明を実施するための形態】
【００１９】
下記に記載する実施例の主要な特徴を列記する。
（特徴１）可動部に設置される永久磁石は、ネオジム磁石（Ｎｄ２Ｆｅ１４Ｂ）、サマリウムコバルト磁石（ＳｍＣｏ５（１−５系）、Ｓｍ２Ｃｏ１７（２−１７系）等）または、フェライト磁石である。
（特徴２）第１方向および第２方向は、可撓梁が捩れていない状態で基板に対して静止している場合の可動部およびミラーに平行な面内で直交している。
【実施例１】
【００２０】
図１は、実施例１の光偏向装置１０の各構成要素の配置を概念的に示す斜視図である。図１に示すように、光偏向装置１０は、第１電磁石２０と、第２電磁石４０と、ミラー部３０とを備えている。尚、図１では、ミラー部３０の詳細な構造は図示を省略している。
【００２１】
図１に示すように、第１電磁石２０は、Ｃ字形状の鉄心２０１と、鉄心２０１に巻き付けられている第１コイル２０３ａ，２０３ｂを備えている。鉄心２０１は、ｘ軸方向においてミラー部３０を挟んで対向する第１磁極部２０１ａと第２磁極部２０１ｂとを備えている。第１磁極部２０１ａの面と第２磁極部２０１ｂの面とは同じ面積であり、ｙ軸に平行な２辺とｚ軸に平行な２辺によって囲まれた長方形状であり、ｘ軸方向に垂直である。
第２電磁石４０は、Ｃ字形状の鉄心４０１と、鉄心４０１に巻き付けられている第２コイル４０３ａ，４０３ｂを備えている。鉄心４０１は、ｙ軸方向においてミラー部３０を挟んで対向する第１磁極部４０１ａと第２磁極部４０１ｂとを備えている。第１磁極部４０１ａの面と第２磁極部４０１ｂの面とは同じ面積であり、ｘ軸に平行な２辺とｚ軸に平行な２辺によって囲まれた長方形状であり、ｙ軸方向に垂直である。
【００２２】
第１電磁石２０の第１コイル２０３ａ，２０３ｂに電流を流すと、第１磁極部２０１ａと第２磁極部２０１ｂとの間に、主としてｘ軸方向に伸びる磁束が発生する。第２電磁石４０の第２コイル４０３ａ，４０３ｂに電流を流すと、第１磁極部４０１ａと第２磁極部４０１ｂとの間に、主としてｙ軸方向に伸びる磁束が発生する。
【００２３】
図２は、図１に示す光偏向装置１０のミラー部３０の近傍を示す平面図であり、図３は、図２のＩＩＩ−ＩＩＩ線断面図であり、図４は、図２のＩＶ−ＩＶ線断面図である。図２〜図４に示すように、ミラー部３０は、上部基板３０１と、上部基板３０１から伸びている１対の第１可撓梁３０３ａ，３０３ｂと、１対の第１可撓梁３０３ａ，３０３ｂによって支持されている第１可動部３０５と、第１可動部３０５から伸びている１対の第２可撓梁３０９ａ，３０９ｂと、１対の第２可撓梁３０９ａ，３０９ｂによって支持されている第２可動部３１１と、第２可動部３１１の上面に固定されているミラー３１５とを備えている。図２に図示されているミラー部３０の構造は、例えば半導体基板を材料として、いわゆるＭＥＭＳ（Micro Electro Mechanical Systems）技術によって一体に形成することができる。ミラー部３０は、図１に示す第１電磁石２０および第２電磁石４０に対して、ミラー３１５の形成されている方向がｚ軸の正方向となるように配置される。ミラー部３０は、上部基板３０１に固定されている下部基板３０２と、下部基板３０２に設置されている第１磁気センサ５１０，第２磁気センサ５２０を備えている。下部基板３０２は、上下に配置された枠体部３０２ａ，３０２ｂと、枠体部３０２ａと枠体部３０２ｂとの間に挟みこむように固定された延在部３０２ｃとを備えている。上部基板３０１と延在部３０２ｃとは、同じ材料基板（例えば、シリコン基板等の半導体基板）によって形成されている。枠体部３０２ａ，３０２ａは同じ材料基板（例えばガラスエポキシ基板等の絶縁性の基板）によって形成されている。第１磁気センサ５１０，第２磁気センサ５２０は、延在部３０２ｃに設置されている。第１磁気センサ５１０，第２磁気センサ５２０は、ホール素子であり、その設置位置に発生するｚ軸方向の磁束密度成分Ｂｚを検出し、Ｂｚに比例する電圧を外部回路（図示しない）に出力する。第１磁気センサ５１０、第２磁気センサ５２０は、ＭＥＭＳ技術を用いて、延在部３０２ｃに形成したものであってもよい。
【００２４】
図２に示すように、上部基板３０１と第１可撓梁３０３ａの接続点と、上部基板３０１と第１可撓梁３０３ｂの接続点を結ぶ線がｙ軸方向と一致し、第１可動部３０５と第２可撓梁３０９ａの接続点と，第１可動部３０５と第２可撓梁３０９ｂの接続点を結ぶ線がｘ軸方向と一致するように、設置されている。ｘｙ平面に直交する方向はｚ軸方向と一致しており、第２可動部３１１のｚ軸が正となる上面側にミラー３１５が設置されている。
第１可撓梁３０３ａ，３０３ｂは、上部基板３０１からｙ軸方向に伸びているとともに、第１可動部３０５に連接している。第２可撓梁３０９ａ，３０９ｂは、第１可動部３０５からｘ軸方向に伸びているとともに、第２可動部３１１に連接している。ｙ軸とｘ軸は基板に平行な面内で直交している。第１可撓梁３０３ａ，３０３ｂおよび第２可撓梁３０９ａ，３０９ｂが捩れていない状態であって、第１可動部３０５、第２可動部３１１、ミラー３１５が上部基板３０１および下部基板３０２に対して傾いていない場合に、ｙ軸とｘ軸が直交する面と、第１可動部３０５、第２可動部３１１、ミラー３１５とは平行となる。
【００２５】
第１可動部３０５は、第１可撓梁３０３ａ，３０３ｂによって、上部基板３０１に対してｙ軸（第１軸）を中心に揺動可能に支持されており、第２可動部３１１は、第２可撓梁３０９ａ，３０９ｂによって、第１可動部３０５に対してｘ軸（第２軸）を中心に揺動可能に支持されている。これによって、第２可動部３１１は、上部基板３０１に対して、ｙ軸（第１軸）とｘ軸（第２軸）の周りに独立に揺動することが可能となっている。
【００２６】
第１可動部３０５には、ｘ軸について互いに対称となる位置に第１磁石３０７ａ，３０７ｂが固定されており、第２可動部３１１には、ｙ軸について互いに対称となる位置に第２磁石３１３ａ，３１３ｂが固定されている。第１磁石３０７ａ，３０７ｂ、第２磁石３１３ａ，３１３ｂは、ネオジム磁石（Ｎｄ２Ｆｅ１４Ｂ）等を材料とする永久磁石で構成されている。ネオジム磁石に代えて、サマリウムコバルト磁石（ＳｍＣｏ５（１−５系）、Ｓｍ２Ｃｏ１７（２−１７系）等）や、フェライト磁石を用いることもできる。第１磁石３０７ａと３０７ｂは、同一の大きさで、同一形状である。第２磁石３１３ａと３１３ｂは、同一の大きさで、同一形状である。第１磁石３０７ａ，３０７ｂおよび第１磁気センサ５１０は、第１電磁石２０の第１磁極部２０１ａと第２磁極部２０１ｂとの間に位置している。第２磁石３１３ａ，３１３ｂおよび第２磁気センサ５２０は、第２電磁石４０の第１磁極部４０１ａと第２磁極部４０１ｂとの間に位置している。
【００２７】
図３、図４に示すように、第１磁石３０７ａ，３０７ｂは、第１可動部３０５をｚ軸方向に貫通しており、第２磁石３１３ａ，３１３ｂは、第２可動部３１１をｚ軸方向に貫通している。図示しないが、第１磁石３０７ａ，３０７ｂの側面と第１可動部３０５との間には接着剤が塗布されており、接着剤の接着力によって、第１磁石３０７ａ，３０７ｂは第１可動部３０５に固定されている。同様に、第２磁石３１３ａ，３１３ｂは、接着剤によって第２可動部３１１に固定されている。第１磁石３０７ａ，３０７ｂおよび第２磁石３１３ａ，３１３ｂは、ｚ軸の正方向（ミラー３１５が設置されている側であり、上部基板３０１の上面側）がＮ極であり、ｚ軸の負方向（上部基板３０１の下面側）がＳ極となるように固定されている。
【００２８】
図１に示す第１電磁石２０の第１コイル２０３ａ，２０３ｂに電流を流すと、第１磁極部２０１ａと第２磁極部２０１ｂとの間に主としてｘ軸方向に伸びる磁界が発生し、この間に設置されているミラー部３０の第１磁石３０７ａ、３０７ｂに対して、電磁力が作用する。これによって、第１可撓梁３０３ａ、３０３ｂがｙ軸の周りに捩れる。
第１磁極部２０１ａと第２磁極部２０１ｂの間に発生するｘ軸方向の磁束は、第２磁石３１３ａ，３１３ｂにも、第２可動部３１１をｙ軸の周りに回転させるトルクを発生させる。第２可撓梁３０９ａ，３０９ｂはｘ軸の周りには容易に捩れる一方で、ｙ軸周りに回転させるトルクに対しては変形しにくく設計されている。このため、第２可動部３１１に生じるトルクによって第２可撓梁３０９ａ，３０９ｂが変形して第２可動部３１１が第１可動部３０５に対して傾くことがない。第１可動部３０５に生じるトルクと、第２可動部３１１に生じるトルクは同じ方向であるため、第１可動部３０５と第２可動部３１１の全体が一体となって、第１可撓梁３０３ａ、３０３ｂの周りに揺動する。第１可動部３０５と、第２可撓梁３０９ａ，３０９ｂと、第２可動部３１１と、ミラー３１５とが一体となってｙ軸の周りに揺動する。
【００２９】
例えば、第１磁極部２０１ａがＮ極、第２磁極部２０１ｂがＳ極となるように第１コイル２０３ａ，２０３ｂに電流を流すと、第１磁石３０７ａ，３０７ｂのＮ極は、第１磁極部２０１ａから斥力を受け、第２磁極部２０１ｂから引力を受ける。第１磁石３０７ａ，３０７ｂのＳ極は、第１磁極部２０１ａから引力を受け、第２磁極部２０１ｂから斥力を受ける。その結果、第１可撓梁３０３ａ、３０３ｂが捩れ、第１可動部３０５と、第２可撓梁３０９ａ，３０９ｂと、第２可動部３１１と、ミラー３１５は、第１磁極部２０１ａ側が上方に傾き、第２磁極部２０１ｂ側が下方に傾く。逆に、第１磁極部２０１ａがＳ極、第２磁極部２０１ｂがＮ極となるように第１コイル２０３ａ，２０３ｂに電流を流すと、第１可動部３０５と、第２可撓梁３０９ａ，３０９ｂと、第２可動部３１１と、ミラー３１５は、第１磁極部２０１ａ側が下方に傾き、第２磁極部２０１ｂ側が上方に傾く。
【００３０】
図１に示す第２電磁石４０の第２コイル４０３ａ，４０３ｂに電流を流すと、第１磁極部４０１ａと第２磁極部４０１ｂとの間に主としてｙ軸方向に伸びる磁束が発生し、この間に設置されている第２磁石３１３ａ、３１３ｂに対して、電磁力が作用する。これによって、第２可撓梁３０９ａ、３０９ｂが捩れ、第２可動部３１１と、ミラー３１５とが一体となってｘ軸の周りに揺動する。
第１磁極部４０１ａと第２磁極部４０１ｂの間に発生するｙ軸方向の磁束は、第１磁石３０７ａ，３０７ｂにも、第１可動部３０５をｘ軸の周りに回転させるトルクを発生させる。第１可撓梁３０３ａ，３０３ｂはｙ軸の周りには容易に捩れる一方で、ｘ軸周りに回転させるトルクに対しては変形しにくく設計されている。このため、第１可動部３０５に生じるトルクによって、第１可撓梁３０３ａ，３０３ｂが変形して第１可動部３０５が上部基板３０１にｘ軸の周りに傾くことはない。
【００３１】
例えば、第２電磁石４０の第１磁極部４０１ａがＮ極、第２磁極部４０１ｂがＳ極となるように第２コイル４０３ａ，４０３ｂに電流を流すと、第２磁石３１３ａ，３１３ｂのＮ極は、第１磁極部４０１ａから斥力を受け、第２磁極部４０１ｂから引力を受ける。その結果、第２可撓梁３０９ａ、３０９ｂが捩れ、第２可動部３１１と、ミラー３１５は、第１磁極部４０１ａの側が上方に傾き、第２磁極部４０１ｂの側が下方に傾く。逆に、第１磁極部４０１ａがＳ極、第２磁極部４０１ｂがＮ極となるように第２コイル４０３ａ，４０３ｂに電流を流すと、第２可動部３１１と、ミラー３１５とは、第１磁極部４０１ａの側が下方に傾き、第２磁極部４０１ｂの側が上方に傾く。
【００３２】
第１磁気センサ５１０および第２磁気センサ５２０は、ｚ軸方向の磁束密度を検出することができる位置および向きに設置されている。第１磁気センサ５１０、第２磁気センサ５２０には、ｘ軸方向の定電流が流れており、ｚ軸方向の磁界が作用すると、ｙ軸方向に電圧が発生する。ｙ軸方向に発生した電圧を検出することによって、ｚ軸方向の磁束密度を検出することができる。
【００３３】
図５は、ホール素子の動作原理を説明する図である。ホール素子の厚さがｄＨであり、ホール素子をｘ軸方向に流れる定電流がＩｃである場合に、ホール素子の位置においてｚ軸方向の磁束密度成分がＢｚである磁束が発生すると、ホール素子のｙ軸方向の両端に、下記の式（１）に示すホール電圧ＶＨが発生する。
【００３４】
【数１】
2011197233.tif 000003
ここで、ＲＨはホール定数であり、電子の電荷ｅ、ホール素子のキャリア濃度ｎによって、ＲＨ＝１／（ｅｎ）と表すことができる。
【００３５】
第１可動部３０５がｙ軸の周りに傾くと、第１磁石３０７ａ，３０７ｂと、第１磁気センサ５１０の位置関係が変化し、第１磁石３０７ａ，３０７ｂによって発生する第１磁気センサ５１０の存在位置におけるｚ軸方向の磁束密度成分Ｂｚが変化し、第１磁気センサ５１０の出力電圧が変化する。
第２可動部３１１がｘ軸の周りに傾くと、第２磁石３１３ａ，３１３ｂと、第２磁気センサ５２０の位置関係が変化し、第２磁石３１３ａ，３１３ｂによって発生する第２磁気センサ５２０の存在位置におけるｚ軸方向の磁束密度成分Ｂｚが変化し、第２磁気センサ５２０の出力電圧が変化する。
【００３６】
図６は、第１磁気センサ５１０と、第１磁石３０７ａと、第１電磁石２０との位置関係を示すために、図３の断面を模式的に示す図である。図６において、破線で示す領域が第１電磁石２０の第１ギャップ２２であり、ミラー部３０を挟んで対向する第１磁極部２０１ａの面と第２磁極部２０１ｂの面との間の領域である。ミラー部３０の第１磁石３０７ａおよび第１磁気センサ５１０は、第１ギャップ２２の内部に設置されている。図示していないが、第１磁石３０７ｂも同様に第１ギャップ２２の内部に設置されている。
【００３７】
第１ギャップ２２のｚ軸方向の中央位置の集合は、ｚ軸方向に垂直な平面となり、この平面は、図６に示す断面において、線分２２１として表される。線分２２１は、第１ギャップ２２のｚ軸方向の中央位置を示しており、その両端は、第１磁極部２０１ａと第２磁極部２０１ｂに達している。第１磁極部２０１ａおよび第２磁極部２０１ｂのｚ軸方向の長さをｄ１とすると、線分２２１の位置は第１ギャップ２２のｚ軸方向の上端および下端から距離ｄ１／２の位置である。また、第１ギャップ２２のｘ軸方向の中央位置の集合は、ｘ軸方向に垂直な平面となり、この平面は、図６に示す断面において、直線２２３として表される。直線２２３は、線分２２１の中点を通り、ｚ軸方向に延びる直線である。第１磁極部２０１ａと第２磁極部２０１ｂとの距離をｄ２とすると、線分２２１のｘ軸方向の長さは、ｄ２に等しい。直線２２３と、第１磁極部２０１ａまたは第２磁極部２０１ｂとの距離は、ｄ２／２である。
【００３８】
図６に示すように、第１磁気センサ５１０は、線分２２１上であって、線分２２１の中央（線分２２１と直線２２３との交点）よりもｘ軸の正方向となる位置（第２磁極部２０１ｂに近い位置）に設置されている。第１磁石３０７ａは、直線２２３上であって、線分２２１よりもｚ軸の正方向となる位置に設置されている。第１磁気センサ５１０と第１磁石３０７ａとは、ｘ軸方向に離間している。
【００３９】
ギャップ２２内において、第１電磁石２０によって発生する磁束は主としてｘ軸方向に伸びるものの、ｚ軸方向成分がゼロではない。第１電磁石２０によって発生する磁束のｚ軸方向の密度成分は、ｚ軸方向の位置およびｘ軸方向の位置に依存して変化する。しかしながら、線分２２１上または直線２２３上では、第１電磁石２０によって発生する磁束のｚ軸方向の密度成分がゼロになる。第１磁気センサ５１０は、線分２２１上に設置されているため、第１電磁石２０によって発生する磁束のｚ軸方向の密度成分を検出することがない。第１磁気センサ５１０には、第１可動部３０５がｙ軸の周りに傾くと、第１磁石３０７ａ，３０７ｂが発生する第１磁気センサ５１０の存在位置におけるｚ軸方向の磁束密度成分Ｂｚが変化して第１磁気センサ５１０の出力電圧が変化する現象のみが生じる。
【００４０】
また、第１磁気センサ５１０と第１磁石３０７ａとは、ｘ軸方向に離れて設置されているため、第１磁石３０７ａがｙ軸の周りに傾くと、第１磁気センサ５１０の存在位置におけるｚ軸方向の磁束密度成分が敏感に変化し、第１磁気センサ５１０の出力電圧が大きく変化する。第１磁気センサ５１０の検出感度が高い。
もしも第１磁気センサ５１０と第１磁石３０７ａがｘ軸方向において同一位置にあると、第１磁石３０７ａがｙ軸の周りに傾いたときに第１磁気センサ５１０の存在位置におけるｚ軸方向の磁束密度成分は鈍感に変化することになり、第１磁気センサ５１０の検出感度が低下してしまう。
【００４１】
図７は、第２磁気センサ５２０と、第２磁石３１３ａと、第２電磁石４０との位置関係を示すために、図４の断面を模式的に示す図である。破線で示す領域が第２電磁石４０の第２ギャップ４２であり、ミラー部３０を挟んで対向する第１磁極部４０１ａの面と第２磁極部４０１ｂの面との間の領域である。第２ギャップ４２のｙ軸方向に垂直な断面は、第１磁極部４０１ａの面および第２磁極部４０１ｂの面と同一形状、同一面積の長方形となる。ミラー部３０の第２磁石３１３ａおよび第２磁気センサ５２０は、第２ギャップ４２の内部に設置されている。図示していないが、第２磁石３１３ｂも同様に第２ギャップ４２の内部に設置されている。
【００４２】
第２ギャップ４２のｚ軸方向の中央位置の集合は、ｚ軸方向に垂直な平面となり、この平面は、図７に示す断面において、線分４２１となる。線分４２１は、第２ギャップ４２のｚ軸方向の中央位置を示しており、その両端は、第１磁極部４０１ａと第２磁極部４０１ｂに達している。第１磁極部４０１ａおよび第２磁極部４０１ｂのｚ軸方向の長さをｄ３とすると、線分４２１は第２ギャップ４２のｚ軸方向の上端および下端から距離ｄ３／２の位置である。また、第２ギャップ４２のｙ軸方向の中央位置の集合は、ｙ軸方向に垂直な平面となり、この平面は、図７に示す断面において、直線４２３として現される。直線４２３は、線分４２１の中点を通り、ｚ軸方向に延びる直線である。第１磁極部４０１ａと第２磁極部４０１ｂとの距離をｄ４とすると、線分４２１のｙ軸方向の長さは、ｄ４に等しい。直線４２３と、第１磁極部４０１ａまたは第２磁極部４０１ｂとの距離は、ｄ４／２である。
【００４３】
図７に示すように、第２磁気センサ５２０は、線分４２１上であって、線分４２１の中央（線分４２１と直線４２３との交点）よりもｙ軸の負方向となる位置（第２磁極部４０１ｂに近い位置）に設置されている。第２磁石３１３ａは、直線４２３上であって、線分４２１よりもｚ軸の正方向となる位置に設置されている。第２磁気センサ５２０と第２磁石３１３ａとは、ｙ軸方向に離間している。
【００４４】
ギャップ４２内において、第２電磁石４０によって発生する磁束は主としてｙ軸方向に伸びるものの、ｚ軸方向成分がゼロではない。第２電磁石４０によって発生する磁束のｚ軸方向の磁束密度成分は、ｚ軸方向の位置およびｙ軸方向の位置に依存して変化する。しかしながら、線分４２１上または直線４２３上では、第２電磁石４０によって発生する磁束のｚ軸方向の磁束密度成分がゼロになる。第２磁気センサ５２０は、線分４２１上に設置されているため、第２電磁石４０によって発生する磁束のｚ軸方向の磁束密度成分を検出することがない。第２磁気センサ５２０には、第２可動部３１１がｘ軸の周りに傾くと、第２磁石３１３ａ，３１３ｂが発生する第２磁気センサ５２０の存在位置におけるｚ軸方向の磁束密度成分Ｂｚが変化して第２磁気センサ５２０の出力電圧が変化する現象のみが生じる。
実際には、線分２２１で現される面と、線分４２１で表される面は同一面である。そのため、第１磁気センサ５１０が、第２電磁石４０によって発生する磁束のｚ軸方向の密度成分を検出することもない。また、第２磁気センサ５２０が、第１電磁石２０によって発生する磁束のｚ軸方向の磁束密度成分を検出することもない。
【００４５】
また、第２磁気センサ５２０と第２磁石３１３ａとは、ｙ軸方向に離れて設置されているため、第２磁石３１３ａがｘ軸の周りに傾くと、第２磁気センサ５２０の存在位置のおけるｚ軸方向の磁束密度成分が敏感に変化し、第２磁気センサ５２０の出力電圧が大きく変化する。
【００４６】
上記のとおり、実施例１の光偏向装置は、可撓梁によって基板に揺動可能に支持されている可動部と、可動部に設置されている永久磁石と、可動部の揺動軸に沿う方向を第１方向としたとき、第１方向に直交する第２方向において永久磁石を挟んで対向する第１磁極と第２磁極とを有する電磁石と、可動部の傾き角を検出するための磁気センサとを備えている。磁気センサは、電磁石に通電したときに発生する磁束の第３方向（第１方向と第２方向に直交する方向）の成分がゼロとなる位置において基板に固定されているとともに、第３方向の磁束密度成分を検出する。実施例１の光偏向装置は２軸の光偏向装置であることから、上記構造を２重に備えているということもできる。
【００４７】
可動部の揺動軸に沿う方向である第１方向と、電磁石が発生させる磁界の方向であって、第１方向に直交する方向である第２方向と、第１方向および第２方向に直交する第３方向とは、可動部の揺動軸が複数である場合には、それぞれの揺動軸に対して設定される。
【００４８】
第１可動部とその揺動軸（第１揺動軸）について説明すると、第１揺動軸の方向に沿う第１方向はｙ軸方向である。第１電磁石２０の第１磁極と第２磁極（第１磁極部２０１ａ，第２磁極部２０１ｂ）が第１磁石３０７ａ，３０７ｂを挟んで対向する第２方向はｘ軸方向であり、ｙ軸方向と直交している。ｙ軸方向およびｘ軸方向に直交する第３方向はｚ軸方向である。
【００４９】
すなわち、光偏向装置１０は、第１可撓梁３０３ａ，３０３ｂによって基板（上部基板３０１，下部基板３０２）に揺動可能に支持されている第１可動部３０５と、第１可動部３０５に設置されている永久磁石である、第１磁石３０７ａ，３０７ｂと、第１方向（ｙ軸方向）に直交する第２方向（ｘ軸方向）において第１磁石３０７ａ，３０７ｂを挟んで対向する、第１磁極部２０１ａと第２磁極部２０１ｂとを有する第１電磁石２０と、第１可動部３０５の傾き角を検出するための第１磁気センサ５１０とを備えている。第１磁気センサ５１０は、第１電磁石２０に通電したときに発生する磁束の第３方向（ｚ軸方向）の成分がゼロとなる位置において基板に固定されているとともに、第３方向の磁束密度成分を検出する。
【００５０】
第２可動部とその揺動軸（第２揺動軸）について説明すると、第２揺動軸の方向に沿う第１方向はｘ軸方向である。第２電磁石２０の第１磁極と第２磁極（第１磁極部４０１ａ，第２磁極部４０１ｂ）が第２磁石３１３ａ，３１３ｂを挟んで対向する第２方向はｙ軸方向であり、ｘ軸方向と直交している。ｘ軸方向およびｙ軸方向に直交する第３方向はｚ軸方向である。
【００５１】
すなわち、光偏向装置１０は、第２可撓梁３０９ａ，３０９ｂによって基板（上部基板３０１，下部基板３０２）に揺動可能に支持されている第２可動部３１１と、第２可動部３１１に設置されている永久磁石である、第２磁石３１３ａ，３１３ｂと、第１方向（ｘ軸方向）に直交する第２方向（ｙ軸方向）において第２磁石３１３ａ，３１３ｂを挟んで対向する第１磁極部４０１ａと第２磁極部４０１ｂとを有する第２電磁石４０と、第２可動部３１１の傾き角を検出するための第２磁気センサ５２０とを備えている。第２磁気センサ５２０は、第２電磁石４０に通電したときに発生する磁束の第３方向（第１方向と第２方向に直交するｚ軸方向）の成分がゼロとなる位置において基板に固定されているとともに、第３方向の磁束密度成分を検出する。
【００５２】
前記したように、第１電磁石２０の第１磁極部２０１ａと第２磁極部２０１ｂと、第２電磁石４０の第１磁極部４０１ａと第２磁極部４０１ｂはｚ軸方向において同一面にあり、第１磁気センサ５１０と第２磁気センサ５２０は、いずれも、磁極部間のギャップのｚ軸方向の中心位置にあり、第１磁気センサ５１０が第２電磁石４０によって発生する磁束のｚ軸方向の密度成分を検出することもなければ、第２磁気センサ５２０が第１電磁石２０によって発生する磁束のｚ軸方向の密度成分を検出することもない。
【００５３】
第１磁石３０７ａ，３０７ｂは、第１電磁石の第１磁極部２０１ａと第２磁極部２０１ｂとの第１ギャップ２２の第３方向（ｚ軸方向）の中央位置から第３方向にオフセットされた位置に配置されているのに対し、第１磁気センサ５１０は、第１ギャップ２２の第３方向（ｚ軸方向）の中央位置に配置されている。第２磁石３１３ａ，３１３ｂは、第２電磁石４０の第１磁極部４０１ａと第２磁極部４０１ｂとの第２ギャップ４２の第３方向（ｚ軸方向）の中央位置から第３方向にオフセットされた位置に配置されているのに対し、第２磁気センサ５２０は、第２ギャップ４２の第３方向（ｚ軸方向）の中央位置に配置されている。
【００５４】
また、実施例１に係る光偏向装置では、可動部には永久磁石が設置され、駆動用のコイルは設置されない。また、磁気センサは基板に設置されている。可動部に電流を流す必要がないから、細長く捩れ易い可撓梁に電流を流すための配線を設ける必要がない。このため、例えば、可撓梁が捩れることによって可撓梁の配線が断線して、駆動に必要な電流が可動部に供給されなくなるということがない。
【００５５】
また、実施例１の磁気センサは、電磁石のギャップの第３方向での中央位置にあればよく、第１方向と第２方向の設置位置を調整することができる。例えば、可動部に設置されている永久磁石と基板に設置されている磁気センサとの第１方向と第２方向の位置関係を調整して、可動部が所定の傾き角で基板に対して傾いた場合に、磁気センサの出力信号の絶対値が最大となるように調整し、検出感度を向上させることができる。尚、実施例１では、永久磁石を電磁石のギャップの第２方向の中央に配置したが、第２方向の中央でなくともよい。例えば、図６に示す線分２２１と直線２２３との交点に、第３方向（ｚ軸方向）の磁束密度成分を検出する第１磁気センサを設置して、第１磁石は直線２２３よりも第１磁極部２０１ａもしくは第２磁極部２０１ｂ側にオフセットした位置に設置してもよい。
【００５６】
また、実施例１に係る光偏向装置では、可動部の第１揺動軸、第２揺動軸に対して、可動部を揺動させるための電磁石がそれぞれ１つずつ（第１電磁石、第２電磁石）備えられている。さらに、第１電磁石、第２電磁石に対して、それぞれ１つずつ磁気センサ（第１磁気センサ、第２磁気センサ）が設置されている。１つの揺動軸に対して、１つの磁気センサを設置するだけで、可動部を揺動させるための電磁石に由来するノイズの影響を除去することができる。
【００５７】
尚、実施例１に係る光偏向装置において、第１電磁石の第１コイルに流す電流の周波数と、第２電磁石に流す電流の周波数とが異なる場合には、１つの磁気センサを用いて、２つの揺動軸についての可動部の傾き角をそれぞれ検出することも可能である。例えば、第１コイルに１０００〜２０００Ｈｚ程度の電流を流し、第２コイルに１０〜１００Ｈｚ程度の電流を流す場合には、１つの磁気センサで２つの揺動軸についての可動部の傾き角を検知可能である。
【００５８】
（変形例）
実施例１においては、１つの電磁石に対して１つの磁気センサを設置したが、これに限定されない。例えば、図８に示すように、１つの電磁石に対して、２つの磁気センサが設置されていてもよい。この場合、２つの磁気センサは、第２方向において可動部に設置された永久磁石に対して対称となる位置に設置されていることが好ましい。
【００５９】
図８は、図６と同様の断面を模式的に示す図であって、光偏向装置の第１電磁石２０と第１磁石３０７ａに対して、第３方向（ｚ軸方向）の磁束密度成分を検出する２つの第１磁気センサ５１１ａ，５１１ｂを設置した場合を示している。第１磁気センサ５１１ａ，５１１ｂは、同一の特性を有するホール素子であり、同一の磁束によって、同一のホール電圧が得られる。第１磁気センサ５１１ａ，５１１ｂは、線分２２１上であって、直線２２３について対称となる位置に設置されている。直線２２３上には第１磁石３０７ａが存在しており、第１磁気センサ５１１ａと第１磁気センサ５１１ｂとは、第１磁石３０７ａについて対象となる位置に、同一方向の磁束密度成分を検知して同一方向のホール電圧を得るように、同一の向きで設置されており、同一の定電流が流れている。このため、第１磁気センサ５１１ａの検出信号と第１磁気センサ５１２ａの検出信号とは絶対値がほぼ同じで符号が逆である。第１磁気センサ５１１ａの検出信号と第２磁気センサ５１１ｂの検出信号との差分を得れば、電磁石によって磁束が発生しない状態でも発生する光偏向装置の外部ノイズ等を除去するとともに、検出信号を２倍にすることができる。第１可動部が所定の傾き角で基板に対して傾いた場合に、２つの第１磁気センサの出力信号の絶対値が最大となるように調整し、検出感度を向上させることができる。
【００６０】
また、２つの第１磁気センサの出力の比をとり、温度の影響を受けることなく、可動部の傾き角を検知するようにしてもよい。以下、図１７および図１８を参照しながら、詳細に説明する。
【００６１】
図１７および図１８は、ｚ軸の正方向に磁化された永久磁石３３３（ｘ軸方向の長さ：ａ、ｙ軸方向の長さ；ｂ、ｚ軸方向の長さ：ｃ）についてｘｏｙｏｚｏ座標軸を設定した図である。ｘｏ軸はｘ軸と平行であり、ｙｏ軸はｙ軸と平行であり、ｚｏ軸はｚ軸と平行である。永久磁石３３３のＮ極側の面の中心がｘｏｙｏｚｏ座標軸の原点Ｏであり、Ｓ極側の面のｚｏ座標は−ｃとなっている。永久磁石３３３が座標（ｘｏ，ｙｏ，ｚｏ）の位置に発生させるｚｏ軸方向の磁束密度成分は、下記の式（２）によって表すことができる。
【００６２】
【数２】
2011197233.tif 000004
【００６３】
ここで、ｆ（ｘｏ，ｙｏ，ｚｏ）は下記の式（３）に示す関数である。ｆ（ｘｏ，ｙｏ，ｚｏ）は、座標（ｘｏ，ｙｏ，ｚｏ）と、永久磁石３３３の大きさにのみ依存する関数であり、温度に依存しない。Ｂｒは永久磁石３３３の残留磁束密度であり、温度に依存する。μ０は永久磁石３３３の周囲の領域の透磁率であり、温度に依存する。
【００６４】
【数３】
2011197233.tif 000005
【００６５】
図１７および図１８と同様に、第２磁石３１３ａについてのｘｏｙｏｚｏ座標軸を設定し、第２磁気センサ５１１ａの座標（ｘ１，ｙ１，ｚ１）をとする。また同様に、第２磁石３１３ｂについてのｘｏｙｏｚｏ座標軸を設定し、第２磁気センサ５１２ａの座標を（ｘ２，ｙ２，ｚ２）とする。この場合、式（１）〜（３）を用いると、第２磁気センサ５１１ａの出力信号ＶＨ１と、第２磁気センサ５１２ａの出力信号ＶＨ２とは、下記の式（４）（５）によって表すことができる。但し、ｆ（ｘ１，ｙ１，ｚ１）は、式（３）で（ｘｏ，ｙｏ，ｚｏ）を（ｘ１，ｙ１，ｚ１）に置き換えたものであり、ｆ（ｘ２，ｙ２，ｚ２）は、式（３）で（ｘｏ，ｙｏ，ｚｏ）を（ｘ２，ｙ２，ｚ２）に置き換えたものである。
【００６６】
【数４】
2011197233.tif 000006
【００６７】
式（４）および式（５）より、ＶＨ１とＶＨ２とを除算することによって、温度に依存して変化するＢｒおよびＲＨを消去することが可能となることがわかる。例えば、ＶＨ１／ＶＨ２＝ｆ（ｘ１，ｙ１，ｚ１）／ｆ（ｘ２，ｙ２，ｚ２）となり、磁気センサの検知値から温度に依存する項を消去することができる。第２磁石３１３ａに対する第２磁気センサ５１１ａの位置は、第２磁石３１３ｂに対する第２磁気センサ５１２ａの位置と逆方向であるから、ＶＨ１／ＶＨ２の値は、第２可動部３１１の傾き角に応じて変化する。
【００６８】
上記の実施例１の変形例では、磁気センサは、電磁石が発生させる磁束の第３方向の磁束密度成分がゼロとなる位置に設置されているため、可動部の傾き角の検出信号から電磁石に由来するノイズの影響を除去することができる。さらに、同一の特性を有する磁気センサを用いることによって、それぞれの磁気センサの検知値の比は、可動部の傾き角に応じて変化するように配置することができるため、この磁気センサの検知値の比を用いて、温度に影響を受けることなく、可動部の傾き角を検知することが可能となる。
【実施例２】
【００６９】
図９は、実施例２に係る光偏向装置１２のミラー部３２の近傍を示す平面図であり、図１０は、図９のＸ−Ｘ線断面図であり、図１１は、図９のＸＩ−ＸＩ線断面図である。尚、図１０、図１１には、実施例１に係る図７，８において説明した、第１電磁石２０のギャップ２２のｚ軸方向の中央を示す線分２２１およびギャップ２２のｘ軸方向の中央を示す直線２２３と、第２電磁石４０のギャップ４２の断面の中央を示す線分４２１およびギャップ４２のｘ軸方向の中央を示す直線４２３とをそれぞれ記載している。
【００７０】
光偏向装置１２は、第１電磁石２０、第２電磁石４０とミラー部３２との位置関係において、実施例１に係る光偏向装置１０と異なっている。ミラー部３２は、第１電磁石２０の第１磁極部２０１ａとの距離が小さく、第２磁極部２０１ｂとの距離が大きい。同様に、ミラー部３２は、第２電磁石４０の第１磁極部４０１ａとの距離が小さく、第２磁極部４０１ｂとの距離が大きい。ミラー部３２の各構成については、ミラー部３０と同様であるため、図２等と同一の参照番号を付して、重複説明を省略する。
【００７１】
光偏向装置１２では、第１磁石３０７ａ，３０７ｂは、第１電磁石２０の第１磁極部２０１ａ、第２磁極部２０１ｂとの第１ギャップ２２のｚ軸方向の中央を示す線分２２１上に設置されている。ｚ軸方向の磁束密度成分を検出する第１磁気センサ５１０は、第１ギャップ２２のｘ軸方向の中央を示す直線２２３上であって、ｚ軸の負方向に線分２２１と離れた位置に設置されている。第１電磁石２０によって発生する磁束のｚ軸方向の磁束密度成分は、第１磁気センサ５１０が設置されている直線２２３上ではゼロである。第１磁気センサ５１０を上部基板３０１に対する第１可動部３０５の傾き角を検出する傾き角検出センサとして用いれば、電磁石によって発生する磁束のｚ軸方向の磁束密度成分の影響を受けることなく傾き角を検出することができ、検出信号のノイズを低減することができる。
【００７２】
第２磁石３１３ａ，３１３ｂは、第２電磁石４０の第１磁極部４０１ａ、第２磁極部４０１ｂとの第２ギャップ４２のｚ軸方向の中央を示す線分４２１上に設置されている。ｚ軸方向の磁束密度成分を検出する第２磁気センサ５２０は、第２ギャップ４２のｙ軸方向の中央を示す直線４２３上であって、ｚ軸の負方向に線分４２１と離れた位置に設置されている。第１電磁石４０によって発生する磁束のｚ軸方向の磁束密度成分は、第２磁気センサ５２０が設置されている直線４２３上ではゼロである。第２磁気センサ５２０を上部基板３０１に対する第２可動部３１１の傾き角を検出する傾き角検出センサとして用いれば、第２電磁石によって発生する磁束のｚ軸方向の磁束密度成分の影響を受けることなく傾き角を検出することができ、検出信号のノイズを低減することができる。
【００７３】
上記のとおり、実施例２に係る光偏向装置では、第１磁石は、第１電磁石の第１磁極と第２磁極との間の第１ギャップのｘ軸方向の中央から、ｘ軸方向に離れた位置で第１可動部に設置されている。ｚ軸方向の磁束密度成分を検出する第１磁気センサは、第１磁石とｘ軸方向に離間した位置に設置されている。また、第１磁気センサは、第１電磁石から発生する磁束のｚ軸方向の磁束密度成分がゼロとなる位置に設置されている。より具体的には、第１磁気センサは、第１ギャップのｘ軸方向の中央に設置されている。第１磁気センサは、第１可動部の傾き角を検出するために用いられる。第１磁気センサの設置位置では、第１電磁石から発生する磁束のｚ軸方向の磁束密度成分がゼロとなるため、第１磁気センサの検出信号から、第１電磁石から発生する磁束のｚ軸方向の磁束密度成分に由来するノイズの影響を除去することができる。第１磁気センサによれば、第１可動部の傾き角を検出する検出感度を向上させることができる。尚、このような第１電磁石と第１磁気センサの位置関係では、第１磁気センサの設置位置における第２電磁石から発生する磁束のｚ軸方向の磁束密度成分はゼロにならないため、第１磁気センサの検出信号には、第２電磁石からのノイズが入る。しかし、光偏向装置の第１揺動軸方向の駆動周波数と、第２揺動方向の駆動周波数が異なっていれば、出力信号の中から、周波数フィルタ回路などを用いて第１揺動軸方向の駆動周波数と同じ周波数の信号のみを検出することができる。
【００７４】
また、第２磁石は、第２磁石の第１磁極と第２磁極との間の第２ギャップのｙ軸方向の中央から、ｙ軸方向に離れた位置で第２可動部に設置されている。ｚ軸方向の磁束密度成分を検出する第２磁気センサは、第２磁石とｘ軸方向に離間した位置に設置されている。また、第２磁気センサは、第２電磁石から発生する磁束のｚ軸方向の磁束密度成分がゼロとなる位置に設置されている。より具体的には、第２磁気センサは、第２ギャップのｙ軸方向の中央に設置されている。第２磁気センサは、第２可動部の傾き角を検出するために用いられる。第２磁気センサの設置位置では、第２電磁石から発生する磁束のｚ軸方向の磁束密度成分がゼロとなるため、第２磁気センサの検出信号から、第２電磁石から発生する磁束のｚ軸方向の磁束密度成分に由来するノイズの影響を除去することができる。第２磁気センサによれば、第２可動部の傾き角を検出する検出感度を向上させることができる。実施例１と同様に、１つの揺動軸に対して、１つの磁気センサを設置するだけで、可動部を揺動させるための電磁石に由来するノイズの影響を除去することができる。尚、このような第２電磁石と第２磁気センサの位置関係では、第２磁気センサの設置位置における第１電磁石から発生する磁束のｚ軸方向の磁束密度成分はゼロにならないため、第２磁気センサの検出信号には、第２電磁石からのノイズが入る。しかし、光偏向装置の第１揺動軸方向の駆動周波数と、第２揺動方向の駆動周波数が異なっていれば、出力信号の中から、周波数フィルタ回路などを用いて第１揺動軸方向の駆動周波数と同じ周波数の信号のみを検出することができる。
【００７５】
また、実施例２に係る、可動部に設置する磁石は、電磁石のギャップの第２方向の中央となる位置で第１方向、第３方向の設置位置を調整することができる。例えば、磁石の設置位置を変えて可動部に設置されている磁石と磁気センサとの位置関係を調整して、可動部が所定の傾き角で基板に対して傾いた場合に、磁気センサの出力信号の絶対値が最大となるように調整し、検出感度を向上させることができる。
【００７６】
また、実施例２に係る、可動部に設置する磁石は電磁石のギャップの第３方向の中央となる位置で、第１方向、第２方向の設置位置を調整することができる。例えば、磁石の設置位置を変えて可動部に設置されている磁石と磁気センサとの位置関係を調整して、可動部を所望の角度に傾けるための電圧が最小になる位置に設置することが可能となる。
【実施例３】
【００７７】
実施例３に係る光偏向装置１４は、磁気センサの個数および設置位置について実施例２に係る光偏向装置１２と異なっている。図１２および図１３は、実施例３に係る光偏向装置１４のミラー部３４の近傍を示す断面図である。図１２は、実施例２に係る図１０と同じ位置での断面を示しており、図１３は、実施例２に係る図１１と同じ位置での断面を示している。図１０、図１１と同様に、図１２と図１３にも、第１電磁石２０の第１ギャップ２２のｚ軸方向の中央を示す線分２２１および第１ギャップ２２のｘ軸方向の中央を示す直線２２３と、第２電磁石４０の第２ギャップ４２のｚ軸方向の中央を示す線分４２１および第２ギャップ４２のｘ軸方向の中央を示す直線４２３とを記載している。
【００７８】
光偏向装置１４では、ｚ軸方向の磁束密度成分を検出する２つの第１磁気センサ５１３ａ，５１４ａがギャップ２２の中央を示す線分２２３について対称となる位置に設置されており、同一の定電流が流れている。２つの第１磁気センサ５１３ａ，５１４ａは、同一の特性を有するホール素子であり、同一の磁束によって、同一のホール電圧が得られる。２つの第１磁気センサ５１３ａ，５１４ａは、同一方向の磁束密度成分を検知して同一方向のホール電圧を得るように、同一の向きで設置されており、同一の定電流が流れている。その他のミラー部３４の各構成については、ミラー部３２と同様であるため、図１０等と同一の参照番号を付して、重複説明を省略する。
【００７９】
第１磁気センサ５１３ａ，５１４ａは、線分２２１上にも直線２２３上にも設置されていないため、第１電磁石２０が第１磁気センサ５１３ａ，５１４ａの位置に発生させる磁束のｚ軸方向の磁束密度成分は、正または負の値であって、ゼロではない。さらに、第１磁気センサ５１３ａと第１磁気センサ５１４ａとは、線分２２３について対称となる位置に設置されているため、第１電磁石２０が第１磁気センサ５１３ａの位置に発生させる磁束のｚ軸方向の磁束密度成分と、第１電磁石２０が第１磁気センサ５１４ａの位置に発生させる磁束のｚ軸方向の磁束密度成分とは、絶対値が同じで向きが逆である。２つの第１磁気センサ５１３ａ，５１４ａは、同一方向の磁束密度成分を検知して同一方向のホール電圧を得るように、同一の向きで設置されており、同一の定電流が流れているため、第１電磁石２０による第１磁気センサ５１３ａの検出信号の第１電磁石２０に由来するノイズと第１磁気センサ５１４ａの検出信号の第１電磁石２０に由来するノイズとは、絶対値が同じで符号が逆である。第１磁気センサ５１３ａの検出信号と第１磁気センサ５１４ａの検出信号との和を用いれば、検出信号から第１電磁石２０に由来するノイズを除去することができる。
【００８０】
また、第１磁石３０７ａのｘ軸方向の中心線である直線２２５は、直線２２３とｘ軸方向に離れている。第１磁気センサ５１３ａと、第１磁気センサ５１４ａとは、直線２２５に対して、ｘ軸方向に同じ側となるように設置されている。このため、第１磁気センサ５１３ａの検出信号と第１磁気センサ５１４ａの検出信号とは同じ符号である。第１磁気センサ５１３ａの検出信号と第１磁気センサ５１４ａの検出信号との和を用いることによって、検出信号を大きくすることができる。第１可動部が所定の傾き角で基板に対して傾いた場合に、２つの第１磁気センサの出力信号の絶対値が最大となるように、第１磁気センサの配置を調整し、検出感度を向上させることができる。
【００８１】
同様に、第２磁気センサ５２３ａと第２磁気センサ５２４ａとは、線分４２３について対称となる位置に設置されているため、第２電磁石４０による第２磁気センサ５２３ａの検出信号の第２電磁石４０に由来するノイズと第２磁気センサ５２４ａの検出信号の第２電磁石４０に由来するノイズとは、絶対値が同じで符号が逆である。第２磁気センサ５２３ａの検出信号と第２磁気センサ５２４ａの検出信号との和を用いれば、検出信号から第２電磁石４０に由来するノイズを除去することができる。
【００８２】
また、第２磁石３１３ａのｙ軸方向の中心線である直線４２５は、直線４２３とｙ軸方向に離れている。第２磁気センサ５２３ａと、第２磁気センサ５２４ａとは、直線４２５に対して、ｙ軸方向に同じ側となるように設置されている。このため、第２磁気センサ５２３ａの検出信号と第２磁気センサ５２４ａの検出信号とは同じ符号であり、第２磁気センサ５２３ａの検出信号と第２磁気センサ５２４ａの検出信号との和を用いることによって、検出信号を大きくすることができる。第２可動部が所定の傾き角で基板に対して傾いた場合に、２つの第２磁気センサの出力信号の絶対値が最大となるように調整し、検出感度を向上させることができる。
【００８３】
上記のとおり、実施例３に係る光偏向装置では、第３方向（ｚ軸方向）の可動部の傾き角を検出するための複数の磁気センサが、電磁石から発生する磁束の第３方向の磁束密度成分が正または負である位置で基板に対して固定されている。この光偏向装置では、第１可動部の傾き角を検知するために設置された複数の磁気センサが受ける第２電磁石が発生する磁束の第３方向の磁束密度成分の総和はゼロである。同様に、第２可動部の傾き角を検知するために設置された複数の磁気センサが受ける第１電磁石が発生する磁束の第３方向の磁束密度成分の総和はゼロである。より具体的には、第１可動部に対して設置された２つの同一特性の磁気センサは、第１ギャップの第２方向の中央について対称となる位置に設置されており、第２可動部に対して設置された２つの同一特性の磁気センサは、第２ギャップの第２方向の中央について対称となる位置に設置されている。
【００８４】
尚、実施例３では、第３方向（ｚ軸方向）の可動部の傾き角を検出するための複数の磁気センサを２つ設置した場合を例示して説明したが、設置する磁気センサの個数は、３つ以上であってもよい。
【実施例４】
【００８５】
図１４は、実施例４に係る光偏向装置１６のミラー部３６の近傍を示す平面図であり、図１５は、図１４のＸＶ−ＸＶ線断面図であり、図１６は、図１４のＸＶＩ−ＸＶＩ線断面図である。実施例４に係る光偏向装置１６は、２つの第２電磁石４１，４３が設置されている。第２可動部３１１を第２揺動軸であるｙ軸を中心に揺動させるために、２つの第２電磁石４１，４３が設置されている。
【００８６】
光偏向装置１６の第１磁石、第１電磁石、第１磁気センサの形態については、実施例１に係る光偏向装置１０と同様であるため、重複説明を省略し、図１４〜図１６に示されるこれらの構成については、図２等と同一の参照番号を付している。
【００８７】
図１４〜図１６に示すように、光偏向装置１６は、２つの第２電磁石４１、４３を備えている。第２電磁石４１と第２電磁石４３とは同一の形状、大きさ、材料およびコイル巻き数を有する、同一の電磁石である。ｙ軸方向の磁界を発生させる第２電磁石４１，４３は、ｚ軸方向の位置は同じであり、ｘ軸方向およびｙ軸方向の位置が異なっている。第２電磁石４１は、第２電磁石４３に対してｘ軸方向に負の方向かつｙ軸方向に負の方向に設置されている。第２電磁石４１は、Ｃ字形状の鉄心４１１と、鉄心４１１に巻き付けられている第２コイル４１３ａ，４１３ｂを備えており、鉄心４１１の第１磁極部４１１ａと第２磁極部４１１ｂは、ｙ軸方向にミラー部３６を挟んで対向している。第２電磁石４３は、Ｃ字形状の鉄心４３１と、鉄心４３１に巻き付けられている第２コイル４３３ａ，４３３ｂを備えており、鉄心４３１の第１磁極部４３１ａと第２磁極部４３１ｂは、ｙ軸方向にミラー部３６を挟んで対向している。第１磁極部４１１ａ，４３１ａおよび第２磁極部４１１ｂ，４３１ｂの面は同じ面積であり、ｘ軸に平行な２辺とｚ軸に平行な２辺によって囲まれた長方形状であり、ｙ軸方向に垂直である。
【００８８】
第２電磁石４１の第２ギャップ４５内には、第２磁石３１３ａと第２磁気センサ５２５が設置されている。第２磁石３１３ａは、第２ギャップ４５のｚ軸方向の中央を示す線分４５１上であって、第２ギャップ４５のｙ軸方向の中央を示す直線４５３よりもｙ軸の正方向となる位置に設置されている。第２磁気センサ５２５は、線分４５１よりもｚ軸の負方向となる位置であって、直線４５３上に設置されている。このため、実施例２と同様に、第２磁気センサ５２５の設置位置では、第２電磁石４１から発生する磁束のｚ軸方向の磁束密度成分がゼロとなり、第２磁気センサ５２５の検出信号から、第２電磁石４１から発生する磁束のｚ軸方向の磁束密度成分に由来するノイズの影響を除去することができる。
【００８９】
第２電磁石４３の第２ギャップ４７内には、第２磁石３１３ｂと第２磁気センサ５２７が設置されている。第２磁石３１３ｂは、第２ギャップ４７のｚ軸方向の中央を示す線分４７１上であって、第２ギャップのｙ軸方向の中心を示す直線４７３よりもｙ軸の負方向となる位置に設置されている。第２磁気センサ５２７は、線分４７１よりもｚ軸の負方向となる位置であって、直線４７３上に設置されている。このため、実施例２と同様に、第２磁気センサ５２７の設置位置では、第２電磁石４３から発生する磁束のｚ軸方向の磁束密度成分がゼロとなり、第２磁気センサ５２５の検出信号から、第２電磁石４１から発生する磁束のｚ軸方向の磁束密度成分に由来するノイズの影響を除去することができる。
【００９０】
第２磁気センサ５２５，５２７は、同一の特性を有するホール素子であり、同一の磁束によって、同一のホール電圧が得られる。第２磁気センサ５２５，５２７は、同一方向の磁束密度成分を検知して同一方向のホール電圧を得るように、それぞれの設置位置において同一の向きで設置されており、同一の定電流が流れている。
【００９１】
第２磁石３１３ａと第２磁石３１３ｂは、ｙ軸方向の位置が同じであり、そのｙ軸方向の中心は、第２揺動軸であるｘ軸と一致している。直線４５３は、直線４７３よりもｙ軸の負方向に位置しており、第２磁気センサ５２５と第２磁気センサ５２７のｙ軸方向の位置は、第２揺動軸であるｘ軸について対称である。第２磁気センサ５２５は、第２磁石３１３ａよりもｙ軸の負方向に位置しており、第２磁気センサ５２７は、第２磁石３１３ｂよりもｙ軸の正方向に位置している。このため、第２可動部３１１が傾いた場合に、２つの第２磁気センサ５２５，５２７が検出するｚ軸方向の磁束密度成分は、互いに相違する。このため、実施例１の変形例と同様に、実施例４に係る光偏向装置１６においても、検出信号から、温度に依存して変化するＢｒおよびＲＨの影響をなくすことができる。
【００９２】
第２磁石３１３ａについてのｘｏｙｏｚｏ座標軸を設定し、第２磁気センサ５２５の座標（ｘ１，ｙ１，ｚ１）とすれば、式（４）によって、第２磁気センサ５２５が検出するホール電圧ＶＨ１を計算することができる。同様に、第２磁石３１３ｂについてのｘｏｙｏｚｏ座標軸を設定し、第２磁気センサ５２７の座標を（ｘ２，ｙ２，ｚ２）すれば、式（５）によって、第２磁気センサ５２７が検出するホール電圧ＶＨ２を計算することができる。ＶＨ１とＶＨ２とを除算することによって、温度に依存して変化するＢｒおよびＲＨを消去することが可能となる。ＶＨ１／ＶＨ２＝ｆ（ｘ１，ｙ１，ｚ１）／ｆ（ｘ２，ｙ２，ｚ２）となり、磁気センサの検知値から温度に依存する項を消去することができる。第２磁石３１３ａに対する第２磁気センサ５２５の位置は、第２磁石３１３ｂに対する第２磁気センサ５２７の位置と逆方向であるから、ＶＨ１／ＶＨ２の値は、第２可動部３１１の傾き角に応じて変化する。
【００９３】
上記の実施例４では、可動部の１つの揺動軸に対して、電磁石が２つ設置されており、磁石と磁気センサは、１つの電磁石に対して１つずつ設置されている。より具体的には、磁石は、可動部の１つの揺動軸（ｘ軸）上に沿って設置されており、第２方向（ｙ軸方向）の設置位置が同じである。磁気センサは、対応する電磁石のギャップの第２方向の中央、すなわち、対応する電磁石が発生させる磁束の第３方向（磁気センサが検出する磁束密度成分の方向）の磁束密度成分がゼロとなる位置に設置されているため、可動部の傾き角の検出信号から電磁石に由来するノイズの影響を除去することができる。さらに、それぞれの電磁石に対して同一の磁石、同一の特性を有する磁気センサを用いることによって、それぞれ磁気センサの検知値の比が温度に依存しないようにすることができる。２つの電磁石のギャップの第２方向の中央が、その１つの揺動軸について第２方向に互いに逆となるように、２つの電磁石は、第２方向に異なる位置に設置されている。これによって、可動部がその１つの揺動軸の周りに傾いた場合に、２つの磁気センサの検出値を相違させることが可能となる。この場合、磁気センサの検知値の比は、可動部の傾き角に応じて変化するため、この磁気センサの検知値の比を用いて、温度に影響を受けることなく、可動部の傾き角を検知することが可能となる。このように、１つの揺動軸について、２つの電磁石を設置すれば、電磁石のギャップの位置を調整することが可能となるので、対応する磁石と磁気センサとを好ましい位置関係に設置することが可能となる。
【００９４】
尚、実施例１〜４および変形例では、可動部の揺動軸が２つである光偏向装置について説明したが、可動部の揺動軸が１つである光偏向装置であってもよい。１軸駆動型の光学装置においても、実施例１〜４および変形例において説明した、電磁石、磁石、磁気センサの位置関係を適用することによって、同様の作用効果を得ることができる。
【００９５】
また、磁石と磁気センサとは、第３方向（ｚ軸方向）に離間して設置されてなくともよい。例えば、ミラー部の上部基板（基板のうち、可撓梁と可動部と一体に形成されている部分）に磁気センサが設置されていてもよい。上部基板、可撓梁、可動部等の構造を、ＭＥＭＳ技術を用いて半導体基板（例えばシリコン基板）に一体に形成する際に、ホール素子等の磁気センサを併せて形成することが可能となる。
【００９６】
尚、実施例１〜４および変形例では、磁気センサの一例としてホール素子を例示して説明したが、これに限定されない。例えば、磁気抵抗素子等のホール素子以外の磁気センサを用いることも可能である。
【００９７】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００９８】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００９９】
１０，１２，１４，１６    光偏向装置
２０    第１電磁石
２２    第１ギャップ
３０，３２，３４，３６    ミラー部
４０，４１，４３    第２電磁石
４２，４５，４７    第２ギャップ
２０１，４０１，４１１，４３１    鉄心
２０１ａ    第１電磁石の第１磁極部
２０１ｂ    第１電磁石の第２磁極部
２０３ａ，２０３ｂ    コイル
２２１，４２１，４５１，４７１    線分
２２３，４２３，４５３，４７３    直線
２２５，４２５    直線
３０１    上部基板
３０２    下部基板
３０２ａ，３０２ｂ    枠体部
３０２ｃ    延在部
３０３ａ，３０３ｂ    第１可撓梁
３０５    第１可動部
３０７ａ，３０７ｂ    第１磁石
３０９ａ，３０９ｂ    第２可撓梁
３１１    第２可動部
３１３ａ，３１３ｂ    第２磁石
３１５    ミラー
３３３    永久磁石
４０１，４１１，４３１    鉄心
４０１ａ，４１１ａ，４３１ａ    第２電磁石の第１磁極部
４０１ｂ，４１１ｂ，４３１ｂ    第２電磁石の第２磁極部
４０３ａ，４０３ｂ、４１３ａ，４１３ｂ，４３３ａ，４３３ｂ    第２コイル
５１０，５１１ａ，５１１ｂ，５１２ａ，５１３ａ，５１４ａ    第１磁気センサ
５２０，５２３ａ，５２４ａ，５２５，５２７    第２磁気センサ
【図１】
2011197233.tif 000007
【図２】
2011197233.tif 000008
【図３】
2011197233.tif 000009
【図４】
2011197233.tif 000010
【図５】
2011197233.tif 000011
【図６】
2011197233.tif 000012
【図７】
2011197233.tif 000013
【図８】
2011197233.tif 000014
【図９】
2011197233.tif 000015
【図１０】
2011197233.tif 000016
【図１１】
2011197233.tif 000017
【図１２】
2011197233.tif 000018
【図１３】
2011197233.tif 000019
【図１４】
2011197233.tif 000020
【図１５】
2011197233.tif 000021
【図１６】
2011197233.tif 000022
【図１７】
2011197233.tif 000023
【図１８】
2011197233.tif 000024